(57)【要約】【課題】ベッドサイド全面で布団等の落下防止ができるとともに、ベッド上の使用者が仰臥姿勢からベッドサイドで端座位をとった姿勢に変換する場合に、少なくともベッドの足側に設けられる介助装置を取り外すことなく足を床面に下ろすことができ、さらに立ち上がり介助できる介助装置を提供すること。【解決手段】ベッド側部に取り付け可能な固定部と、この固定部に立設状態から側方へ倒伏可能に取り付けられる固定柵部と、固定柵部の一側部に回動可能に取り付けられる回動把持部とからなるサイドレールにおいて、固定柵部は立設状態で保持可能かつ適宜ベッド側方へ倒伏可能に構成した。【選択図】        図１
2004357875.tif 000002
【特許請求の範囲】
【請求項１】
ベッド側部に取り付け可能な固定部と、この固定部に立設状態から側方へ倒伏可能に取り付けられる固定柵部とからなるサイドレールにおいて、固定柵部は立設状態で保持可能かつ適宜ベッドの下方へ倒伏するように回動可能に構成したことを特徴とするサイドレール。
【請求項２】
上記固定柵部の一側部に回動可能に回動把持部を設け、少なくとも固定柵部と略々同一平面を形成する状態と平面視において略々Ｌ字状に屈曲した状態とに保持拘束可能に構成したことを特徴とする請求項１記載のサイドレール。
【請求項３】
固定部と固定柵部間に倒伏手段を設け、固定柵部と回動把持部間に回動手段を設け、適宜な操作により回動把持部の回動操作及び保持拘束を可能とするとともに、回動柵部の倒伏操作及び立設状態での保持拘束を可能としたことを特徴とする請求項２記載のサイドレール。
【請求項４】
ベッド側部に取り付け可能な固定部と、この固定部に倒伏手段を介して立設状態から側方へ倒伏可能に取り付けられる固定柵部と、この固定柵部に回動手段を介して少なくとも固定柵部と同一平面上に配置される状態から平面視において略々Ｌ字状に配置される状態に回動可能に取り付けられる回動把持部とからなるサイドレールにおいて、適宜な操作により固定柵部を下方回動させたときに回動手段のロックが解除され、回動把持部が回動自在な状態となるよう構成したことを特徴とするサイドレール。
【発明の詳細な説明】
【０００１】
【発明が属する技術分野】
本発明は、ベッドサイドに設けられたサイドレール取付孔に装着して使用するサイドレールに関するものである。
【０００２】
【従来の技術】
従来、ベッドのサイドフレームに取り付けてベッド上の療養者あるいは高齢者等の転落防止、あるいは離床する際の手掛かりとなるものとして種々のサイドレールが提案されている。
【０００３】
そのサイドレールの一つとして、サイドレールを固定柵部と、この固定柵部の一端部に回動自在に連結した回動把持部とによって構成し、ベッドに寝ているときには回動把持部をベッドのサイドフレームと平行とした状態で固定して、布団の落下や、ベッドの使用者の落下を防止するようにし、ベッドから離床する際には回動把持部を約９０度ベッドの外側に回動させて固定し、立ち上がるときに回動把持部を手掛かりとすることにより、身体を支えることができるようにしたものがある（特許文献１参照。）。
【０００４】
【特許文献１】
特開２００２−１３６５５５公報（第３図）
【０００５】
しかしながら、上記のサイドレールには次のような問題点がある。
まず、このサイドレールを頭部側のみに装着した場合には、上述したようにベッドからの離床の際に足をずらすようにしてベッドサイドで端座位をとることが可能であり、回動柵部を手掛かりとして立ち上がることができる。しかし、この場合には、足側にサイドレールが無いために布団あるいは使用者の落下防止が十分にできていない。また、片側にしか回動把持部がないため、安心して立ち上がることができない。
また、このサイドレールを頭部側及び足側に装着した場合には、回動把持部をベッドのサイドフレームと平行とすることによってベッドサイド全面において、落下防止できるように構成されている。そして、ベッドサイドに端座位をとった後では、約９０度ベッドの外側に回動させた回動把持部が使用者の両側に位置するので使用者はより安全に立ち上がることができる。しかし、使用者がベッド上で仰臥している姿勢からベッドサイドで端座位をとるまでに足側のサイドレールが邪魔になり、この状態では姿勢をかえることが困難であり、サイドレールの脱着操作が必要となり、使用者一人で離床することは、極めて困難なものである。
【０００６】
【発明が解決しようとする課題】
そこで、本発明が解決しようとする課題は、ベッドサイド全面で布団あるいは使用者等の落下防止ができるとともに、ベッド上の療養者あるいは高齢者等が仰臥姿勢からベッドサイドで端座位をとった姿勢に体位変換する場合に、少なくともベッドの足側に設けられるサイドレールを取り外すことなく足を床面に下ろすことができ、さらに立ち上がり介助できるサイドレールを提供することを課題としている。
【０００７】
【課題を解決するための手段】
請求項１の発明は、ベッド側部に取り付け可能な固定部と、この固定部に立設状態から側方へ倒伏可能に取り付けられる固定柵部とからなるサイドレールにおいて、固定柵部は立設状態で保持可能かつ適宜ベッドの下方へ倒伏するように回動可能に構成したことを特徴とする。
請求項２の発明は、固定柵部の一側部に回動可能に回動把持部を設け、少なくとも固定柵部と略々同一平面を形成する状態と平面視において略々Ｌ字状に屈曲した状態とに保持拘束可能に構成したことを特徴とする。
請求項３の発明は、固定部と固定柵部間に倒伏手段を設け、固定柵部と回動把持部間に回動手段を設け、適宜な操作により回動把持部の回動操作及び保持拘束を可能とするとともに、回動柵部の倒伏操作及び立設状態での保持拘束を可能としたことを特徴とする。
請求項４の発明は、ベッド側部に取り付け可能な固定部と、この固定部に倒伏手段を介して立設状態から側方へ倒伏可能に取り付けられる固定柵部と、この固定柵部に回動手段を介して少なくとも固定柵部と同一平面上に配置される状態から平面視において略々Ｌ字状に配置される状態に回動可能に取り付けられる回動把持部とからなるサイドレールにおいて、適宜な操作により固定柵部を下方回動させたときに回動手段のロックが解除され、回動把持部が回動自在な状態となるよう構成したことを特徴とする。
【０００８】
請求項１の発明は、固定部と固定柵部からなるサイドレールにおいて、固定部に対して倒伏回動可能に固定柵部を取り付けたものである。そして、この固定柵部は立設状態にあるとき、ベッド上の使用者あるいは布団等の落下防止として機能している。また、固定部に対して固定柵部を下方に回動させながら倒伏させると使用者の側部は開放された状態とすることができる。そのため、介護する場合にもサイドレールの取り付け、取り外しといった煩雑な作業をする必要がなくなるよう構成されたものである。
請求項２の発明は、固定柵部の一側部に回動自在に回動把持部を設け、さらに固定部に対して倒伏可能に固定柵部を取り付けたものである。このように構成することにより、このサイドレールをベッドの足側に取り付けた場合にも、使用者が仰臥姿勢からベッドサイドで端座位をとった姿勢になるときの障害となる固定柵部を下方に回動させながら倒伏させると、ベッドの足側側方を開放することができ、体位変換が容易にできるように構成されている。さらに、端座位をとった後には固定柵部を再度立設させ、回動把持部を平面視において略々Ｌ字状になるよう回動し、立ち上がる際の手掛かりとして使用できるものである。また、頭部側にも同様あるいは請求項１の発明のサイドレールを取り付け、互いの固定柵部と回動把持部を平面視において一直線上に配置することによって、ベッド側部全面を塞ぐようにセット可能であり、全面柵として機能させることができる。さらに、立ち上がる際には、使用者の少なくとも一方側に回動把持部が配置された状態とすることが可能なので、より安全に立ち上がり動作を行うことができる。
請求項３の発明は、固定柵部を倒伏させる倒伏手段と、回動把持部を回動させる回動手段とを具備することによって、それぞれを個別にロック及びロック解除操作可能となり、不注意による誤作動を防止することが可能である。
請求項４の発明は、固定柵部を下方回動させた状態では、回動手段のロックが自動的に解除されており、回動把持部が回動自在な状態となるように構成したものである。そのため、固定柵部を下方回動させたときに固定柵部と回動把持部が同一平面上に位置している場合にも、ベッドサイドで端座位をとった後固定柵部を上方回動させ、立設状態にするだけで使用者の足に回動把持部が接触しながら回動することとなり、固定柵部を立設状態で固定した際には回動把持部が約９０度回動した状態となっており、そのまま立ち上がりの動作に移行できる。
【０００９】
【発明の実施の形態】
本発明に係るサイドレール１を図面に基づいて説明する。
まず、第１図は本発明に係るサイドレールの第一の実施形態を示したものであり、（ａ）図はその全体側面図、（ｂ）図はその全体平面図である。第２図はその倒伏手段の構成を示す要部斜視図である。第３図は倒伏手段の作用を示す説明図であり、（ａ）図はロック状態を示す要部断面図、（ｂ）図は倒伏可能な状態を示す要部断面図である。第４図は別の倒伏手段を示す断面図であり、（ａ）図はロック状態を示す要部断面図、（ｂ）図は倒伏可能な状態を示す要部断面図である。第５図はその回動手段の構成を示す要部斜視図である。第６図は回動手段の作用を示す説明図であり、（ａ）図はロック状態を示す要部断面図、（ｂ）図は回動可能な状態を示す要部断面図である。第７図はベッドに装着した状態を示す説明図（１）である。第８図はベッドに装着した状態を示す説明図（２）である。第９図は第二の実施形態を示す全体側面図である。第１０図はその回動手段及び倒伏手段の構成を示す斜視図である。第１１図は回動手段及び倒伏手段の作用を示す説明図であり、（ａ）図はロック状態を示す要部断面図、（ｂ）図は回動手段のみロック解除された状態を示す要部説明図、（ｃ）図は回動手段及び倒伏手段がロック解除された状態を示す要部説明図である。
【００１０】
本発明に係るサイドレール１は、ベッドＢのサイドフレームＳに設けられたサイドレール取付孔Ｓ１，Ｓ１，・・・に嵌挿される固定部２と、ベッドＢの使用者が把持可能な把持部及びベッドＢ上からの転落防止柵となる固定柵部３、及び、立ち上がる際に使用者の手掛かりとなる回動把持部４とから主に構成されている。
【００１１】
まず、固定部２について説明する。この固定部２は、ベッドＢのサイドフレームＳに設けられたサイドレール取付孔Ｓ１，Ｓ１に嵌挿固定されるものであり、少なくとも２本の支持軸５，５を有している。この支持軸５は前記サイドフレームＳに設けられているサイドレール取付孔Ｓ１の直径と略々同等の小径軸部５ａと大径軸部５ｂとからなるものである。そして、この支持軸５，５を一定間隔、すなわち前記取付孔Ｓ１，Ｓ１の間隔だけ離間して基部パイプ６に止着される。なお、基部パイプ６の後端部には中間部に鍔部７ａを備えた軸部材７を挿通し、止着する。そして、この基部パイプ６に挿通された軸部材７には空孔部（図示省略）が穿たれており、前記支持軸５を基部パイプ６にネジ（図示省略）により固定可能に構成されている。また、前記支持軸５，５の下端部には雌ネジ部５ｃ，５ｃが設けられ、サイドレール取付孔Ｓ１，Ｓ１に当該支持軸５，５を嵌挿後、ボルト部材（図示省略）を螺着することによって確実に固定できるように構成されている。
【００１２】
次に固定柵部３について説明する。この固定柵部３は、側面視において略々コ字状に形成される枠パイプ９と回動筒体１０とを備えており、内部には遮蔽杆１１，１１，・・・が複数本固着されている。なお、枠パイプ９の下側水平部９ａと回動筒体１０は一定間隔離間させるとともに、互いの軸心が一致するように配置されている。さらに、枠パイプ９の上側水平部９ｂの前方部にはヘ字状に屈曲した連結杆１２の一端部が固着されており、他端部には上下方向を軸心とする回動支軸１３が固着されている。また、枠パイプ９の上側水平部９ｂの前端部には円弧状のへこみを有するキャップ１４が嵌着されている。
【００１３】
前述のように構成された固定部２は、上記固定柵部３の回動筒体１０に基部パイプ６を挿通し、支持軸５をネジ止めしている。この状態で、軸部材７の後端は枠パイプ９の下側水平部９ａ内に挿通した状態となっている。このように取り付けられた固定部２と固定柵部３は基部パイプ６に対して相対的に軸心方向に摺動可能かつ軸心周りに回動自在となっている。
【００１４】
そして、上記固定柵部３に隣接するように回動把持部４が設けられている。この回動把持部４は側面視において略々コ字状に曲折された把持パイプ１５内にＬ字状の遮蔽杆１６を固着して構成している。さらに、この把持パイプ１５の下側水平部１５ａの端部には、支承部材１７が挿通固定されている。この支承部材１７は、上記回動支軸１３に挿通可能な筒体１７ａに把持パイプ１５の外径と略々同等の大径軸部１７ｂと把持パイプ１５の内径と略々同等の小径軸部１７ｃを有する段付支軸１７ｄが固着されており、この小径軸部１７ｃを把持パイプ１５の下側水平部１５ａの端部に挿通し、ネジ止めしている。
【００１５】
上記のように構成された固定部２と固定柵部３には、固定柵部３を立設状態で保持拘束するとともに、適宜ベッドＢ外側方向へ回動操作可能な倒伏手段１８が具備されている。
また、固定柵部３と回動把持部４には、回動支軸１３を起端として回動操作可能に回動手段１９が具備されている。
【００１６】
まず、倒伏手段１８について説明する。
上記基部パイプ６前端部には固定メタル２０が固着されている。この固定メタル２０は大径部２０ａ及び小径部２０ｂからなる軸状部材であり、小径部２０ｂの略々中間部外周には溝部２０ｃが設けられるとともに、軸心部には空孔部２０ｄが設けられている。さらに、この固定メタル２０前面部には上下方向に凹字状溝部２０ｅが設けられ、さらに、大径部２０ａには軸心と交差するように空孔部２０ｆが穿たれている。
【００１７】
２１は、回動メタルであり、内部には大径空孔部２１ａ及び小径空孔部２１ｂが一体的に穿たれ、外周は前方部が大径部２１ｃとなり、後部が小径部２１ｄとなっている。そして、小径部２１ｄの後端面には前記凹字状溝部２０ｅに嵌合する突状部２１ｅが一体的に形成されている。さらに、大径部２１ｃ後部にはＵ字状のブラケット２２が固着されている。なお、このブラケット２２には空孔部２２ａ，２２ａが穿たれている。また、このブラケット２２前方部に位置するように上記回動支軸１３に挿通可能な小径軸部２３ａを備えた段付支軸２３が前記大径部２１ｃに固着されている。
そして、この回動メタル２１と前記固定メタル２０を嵌合させた際に、互いの小径部２０ｂ，２１ｄの外周を覆うようにカバー部材２４が取り付けられる。このカバー部材２４は筒体２５で外周部にＵ字状のブラケット２６が固着されている。このブラケット２６にも空孔部２６ａ，２６ａが穿たれており、さらに筒体２５の適所に固定メタル２０の溝部２０ｃに対応する雌ネジ部２５ａが設けられている。
【００１８】
そして、上述した各構成部品は、次のように組み合わされ、倒伏手段１８とされている。
まず、前記固定メタル２０の小径部２０ｂにリング部材２７及びカバー部材２４を挿通する。さらに、回動メタル２１をカバー部材２４内に挿通する。そして、回動メタル２１内の空孔部２１ａ，２１ｂにスプリング２８とピン２９を挿入し、ピン２９の後端部に設けた空孔部２９ａと固定メタル２０の空孔部２０ｆにピン３０を挿通し、固定する。さらに、カバー部材２４の雌ネジ部２５ａにボルト部材３１を螺着し、ボルト部材３１の先端が溝部２０ｃ内に嵌る状態で取り付けることによって、カバー部材２４が固定メタル２０に対して回動可能であるが抜け落ちないように構成されるとともに、固定メタル２０に対してカバー部材２４の軸方向の位置決めをしている。また、前記スプリング２８はピン２９と回動メタル２１間に挟まれた状態となっており、回動メタル２１を固定メタル２０側に常時付勢している状態である。
さらに、カバー部材２４と回動メタル２１に固着されたブラケット２６，２２にはレバー部材３２が取り付けられる。このレバー部材３２は操作部３２ａと作動部３２ｂとからなるもので、作動部３２ｂには空孔部３２ｃと規制孔３２ｄが穿設されている。この規制孔３２ｄは前記空孔部３２ｃに対して一定間隔の軸心を有するロック溝部３２ｅと空孔部３２ｃから徐々に離間する作動溝部３２ｆとを一体的に穿設したものである。そして、前記空孔部３２ｃを回動メタル２１側のブラケット２２の空孔部２２ａにピン３３を嵌着して回動自在に枢着するとともに、カバー部材２４側のブラケット２６の空孔部２６ａにはピン３４を嵌着して、このピン３４が前記規制孔３２ｄ内を相対的に移動可能に取り付けている。また、これらブラケット２２，２６及びレバー部材３２下部を覆うようにカバー３５が取り付けられる。
【００１９】
上記のように構成された倒伏手段１８は、レバー部材３２の操作によって、ピン３４がロック溝部３２ｅに位置する状態では回動メタル２１と固定メタル２０とがしっかりと嵌合した状態であり、固定柵部３を立設した状態で保持拘束する構成であるとともに、固定柵部３に前後方向の負荷を掛けた場合にもピン３４がロック溝部３２ｅに位置しており、固定メタル２０と回動メタル２１の嵌合状態を解除できない構成である（第３図（ａ）参照）。
そして、レバー３２を前方回動すると、ピン３４が相対的にロック溝部３２ｅから作動溝部３２ｆに移動し、ピン３３，３４の間隔を広げる。これによって、回動メタル２１はスプリング２８の付勢力に抗して固定メタル２０から離間し、嵌合状態が解除される。固定メタル２０と回動メタル２１の嵌合状態が解除されれば、固定柵部３は基部パイプ６の軸周りに回動自在な状態となっており、側方へ倒伏させることが可能である（第３図（ｂ）参照）。
逆に、倒伏状態にある固定柵部３を立設状態に起こすとスプリング２８の付勢力によって自動的に固定メタル２０と回動メタル２１とが嵌合し、立設状態でロックされるものである。
【００２０】
なお、固定メタル２０の凹字状溝部２０ｅ及び回動メタル２１の突状部２１ｅの形状を、非対称状に構成することによって固定柵部３が立設状態でのみ嵌合するものとし、約１８０度回動させた際には嵌合しないように構成すると、下方から固定柵部３を立設させるときにレバー操作を行う必要がなくなり、より至便に使用できる。
【００２１】
次に、上述の実施形態と異なる構成による倒伏手段１８について、説明する。なお、図面においては上述の実施形態と略々同様の構成部分については、同じ符号をつけている。
この倒伏手段１８には基部パイプ６前側端部に、次のように構成した固定メタル３６が止着されている。この固定メタル３６は、筒状部材からなるもので、内部には段付空孔部３６ａが穿たれている。そして、固定メタル３６の中間部には円周方向に複数の空孔部３６ｂ，３６ｂ，・・・が穿たれ、その後部外周には溝部３６ｃが設けられている。
そして、この固定メタル３６には回動筒体３７が挿通される。この回動筒体３７には前記空孔部３６ｂよりも小径な空孔部３７ａ，３７ａ，・・・が穿たれるとともに、この空孔部３７ａの後方には雌ネジ部３７ｂが設けられている。さらに、この回動筒体３７の前方部には、上記回動支軸１３に挿通される段付支軸２３が固着される。また、この回動筒体３７の外周部は段付加工がなされており、前記空孔部３７ａ，３７ａ，・・・を覆い隠すようにカバー筒体３８がネジ部材３９によって固定されている。なお、このネジ部材３９の先端は固定メタル３６の溝部３６ｃ内に位置し、回動筒体３７及びカバー筒体３８が回動可能かつ固定メタル３６の軸心方向に対して位置決めされた状態となっている。
さらに、この回動筒体３７内には、スプリング４０と、作動部材４１及び球状部材４２，４２，・・・が装填される。なお、作動部材４１は後端面がスプリング４０の接当面となり、固定メタル３６の内径と略々同等の外径となっており、これより前方に徐々に外形が細くなるように傾斜部４１ａが設けられている。さらに、この傾斜部４１ａから細径軸部４１ｂが一体的に形成され、この細径軸部４１ｂの先端には作動ボタン４３に止着するための空孔部４１ｃが穿設されている。また、この作動部材４１の傾斜部４１ａに接当するように球状部材４２，４２，・・・が固定メタル３６の空孔部３６ｂ，３６ｂ，・・・内に嵌められて構成されている。なお、固定メタル３６の空孔部３６ｂはこの球状部材４２の径と略々等しいもので、回動筒体３７の空孔部３７ａは若干小さいものとしている。そして、前記スプリング４０は作動部材４１を細径軸部４１ｂ側に付勢しているものである。
【００２２】
このように構成された倒伏手段１８においては、固定柵部３が立設状態にあるとき、スプリング４０によって作動部材４１が作動ボタン４３側に付勢されており、傾斜部４１ａ上にある球状部材４２，４２，・・・が固定メタル３６の空孔部３６ｂ，３６ｂ，・・・内へ押し込まれるように作用している。そして、この球状部材４２，４２，・・・は回動筒体３７の空孔部３７ａ，３７ａ，・・・内にも嵌り込んだ状態となっている。したがって、固定メタル３６の空孔部３６ｂ，３６ｂ，・・・と回動筒体３７の空孔部３７ａ，３７ａ，・・・とにそれぞれ球状部材４２，４２，・・・が嵌った状態となっており、固定メタル３６に対して回動筒体３７が回動できない状態となっている。このとき、固定メタル３６の空孔部３６ｂ，３６ｂ，・・・よりも回動筒体３７の空孔部３７ａ，３７ａ，・・・の径が小さいので球状部材４２，４２，・・・は回動筒体３７の空孔部３７ａ，３７ａ，・・・内に完全に嵌り込まないように構成されている（第４図（ａ）参照）。
次に、立設状態にある固定柵部３を側方へ倒伏させるには、作動ボタン４３をスプリング４０に抗して固定メタル３６側に押し込めばよい。このとき、作動部材４１が後方に移動し、傾斜部４１ａに沿って球状部材４２，４２，・・・が内部に移動可能な状態となる。この状態で固定柵部３を何れかに倒伏させれば回動筒体３７の空孔部３７ａ，３７ａ，・・・から球状部材４２，４２，・・・は抜け、回動可能となる。なお、作動ボタン４３を最も押し込んだ状態のときに、傾斜部４１ａと固定メタル３６の空孔部３６ｂ間から球状部材４２が脱落しないようにしておけば誤作動することがない（第４図（ｂ）参照）。
【００２３】
次に、回動把持部４と固定柵部３間に具備される回動手段１９について説明する。
まず、回動支軸１３上端部には複数の突状爪部４４ａ，４４ａ，・・・が一体的に形成された固定メタル４４が固着されている。この固定メタル４４内には上端部に雌ネジ部４５ａが備えられた固定軸４５が固着されている。また、固定メタル４４の前方面適所には雌ネジ部４４ｂが備えられている。そして、この固定メタル４４の外周部には作動筒体４６が挿通される。この作動筒体４６には空孔部４６ａが穿設されるとともに、この空孔部４６ａ下方に略々へ字状の規制孔４６ｂが設けられている。そして、この規制孔４６ｂ内にボルト４７が位置するように前記雌ネジ部４４ｂに螺着している。さらに、この作動筒体４６の外側には操作筒体４８が挿通され、上部には軸受キャップ４９が嵌着され、それぞれに設けた空孔部４６ａ，４８ａと雌ネジ部４９ａを合わせ、ボルト部材５０で螺着することによって、軸受キャップ４９と操作筒体４８及び作動筒体４６が一体となって回動するよう構成されている。この状態で操作筒体４８を何れか一方に回動させるとボルト４７が規制孔４６ｂの頭頂部から規制孔４６ｂに沿って下方へ相対的に移動する。すなわち操作筒体４８は上方へ摺動するよう構成されている。また、逆方向に回動させても同様に操作筒体４８が上方へ摺動するよう構成されている。
そして、上記回動把持部４の下部に止着した支承部材１７を回動支軸１３下方から挿通させるとともに、回動把持部４の上側水平部１５ｂ端部に固着した回動メタル５１を軸受キャップ４９内に挿通させる。この回動メタル５１内部には大径空孔部５１ａ及び小径空孔部５１ｂが一体的に設けられている。そして、回動メタル５１下部には軸受キャップ４９内に挿通可能な小径軸部５１ｃが設けられるとともに、この小径軸部５１ｃの略々中間部には溝部５１ｄが設けられ、さらに、小径軸部５１ｃ下端部には前記固定メタル４４の突状爪部４４ａ，４４ａ，・・・に嵌合可能な爪部５１ｅ，５１ｅが一体的に構成されている。なお、前記操作筒体４８の固定に用いたボルト部材５０の先端部は、この溝部５１ｄ内に位置しており、回動把持部４が回動可能かつ抜け止めされた状態となっている。さらに、回動メタル５１内にはスプリング５２とワッシャー５３をはめ込み、ボルト部材５４を固定軸４５上端部の雌ネジ部４５ａに螺着することによって、回動メタル５１を固定メタル４４側に付勢している。
【００２４】
このように構成された回動手段１９は、スプリング５２の付勢力によってボルト４７が規制孔４６ｂの頭頂部に位置するよう構成されており、ボルト４７が規制孔４６ｂの頭頂部に位置する状態では回動メタル５１と固定メタル４４が嵌合した状態となっており、回動操作できない状態である（第６図（ａ）参照）。
この状態から回動把持部４を回動操作するには、操作筒体４８を何れか一方に回動させる。この操作筒体４８の回動によって、作動筒体４６の規制孔４６ｂ内にあるボルト４７によって相対的に操作筒体４８と軸受キャップ４９及び作動筒体４６が上方へ摺動する。軸受キャップ４９が上方へ摺動すると回動メタル５１が上方へ押し上げられ、固定メタル４４と回動メタル５１の嵌合が解除される。この状態で回動把持部４は回動自在な状態となり、所望の方向へ回動可能となっている（第６図（ｂ）参照）。
なお、固定メタル４４と回動メタル５１の爪部４４ａ，５１ｅは少なくとも固定柵部３と回動把持部４が一直線上に配置される状態と回動把持部４を約９０度回動させ平面視において略々Ｌ字状となる状態とに設定可能に構成されるものであり、さらに細かい角度に設定可能な形状とすることも可能である。
【００２５】
次に、上述のように構成されたサイドレール１の使用形態について説明する。
上記のように構成されたサイドレール１は、第７図に示すようにベッドＢのサイドフレームＳに具備されたサイドレール取付孔Ｓ１に頭部側（ベッドＢのヘッドボードＨ側）と足側（ベッドＢのフットボードＦ側）に夫々の回動把持部４，４が近接するようサイドレール１，１を装着する。このようにベッドＢに装着するとベッドＢ側部全面で布団や使用者等の落下防止ができる全面柵として機能させることができる。
このようにサイドレール１を装着したベッドＢから立ち上がるためには、まず頭部側及び足側のサイドレール１，１の回動把持部４をベッドＢの側方へ約９０度回動させる。
然る後、足部側サイドレール１の回動把持部４もベッドＢの側方へ９０度回動させる。
そして、足部側のサイドレール１の倒伏手段１８のレバー部材３２を回動操作し、倒伏手段１８の固定メタル２０と回動メタル２１の嵌合状態を解除する。これらの嵌合状態を解除すれば、固定柵部３が側方へ倒伏可能となるので、側方へ倒伏させることが可能となる。
この状態でサイドレール１を倒伏させると回動把持部４が床面に接当する状態もしくはベッドＢに接触して停止した状態となる。そして、使用者の足側側方が開放された状態となっており、この開放された空間から足を少しずつずらすようにして、使用者はベッドサイドに端座位の姿勢をとる。このとき、頭部側の固定柵部３と回動把持部４が使用者の体位変換の際の手掛かりとなり、非常に楽な状態で体位変換ができる。なお、このときベッドＢに具備された背上げ機構を利用するとより容易にできる。
ベッドサイドで端座位がとれれば、足側のサイドレール１を上方回動させる。このとき、倒伏手段１８の固定メタル２０の凹字状溝部２０ｅと回動メタル２１の突状部２１ｅが嵌合しない状態に構成されておれば、レバー部材３２の操作をしなくても固定柵部３を上方回動させることができ、非常に至便である。
そして、固定柵部３は上方回動により自動的にロックされ、この状態で使用者の両側部に回動把持部４，４が略々平行な状態で配置された状態となっており、この回動把持部４，４を手掛かりとして立ち上がることができる状態にある。
【００２６】
逆に、ベッドＢに戻るときには、頭部側及び足部側のサイドレール１，１の回動把持部４，４をそれぞれ固定柵部３，３に対して略々９０度回動させた状態（立ち上がるときの状態）としておくと、ベッドＢに戻ったときの手掛かりとすることができ、安心して身体の向きを変えたりすることができる。
そして、ベッドＢに腰掛けるために向きを変えて、ベッドサイドに腰掛ける。
次に、ベッドＢ上で仰臥したときに足側に位置するサイドレール１の倒伏手段１８のレバー部材３２を回動させ、固定メタル２０と回動メタル２１の嵌合状態を解除し、固定柵部３をベッドＢ下方へ倒伏させる。
然る後、ベッドＢ側方で開放された空間から足を上げ、ベッドＢ上に足を載せた後、足側のサイドレール１を起立させ、倒伏手段１９をロックする。
そして、頭部側及び足側のサイドレール１，１の回動把持部４，４を固定柵部３，３と略々同一平面上に位置するように回動手段１９，１９の操作筒体４８，４８を何れか一方に回動させて固定メタル３６と固定メタル５１との嵌合状態を解除し、それぞれ回動させる。
この状態で、ベッドＢ側部全面を閉塞した状態として、布団や使用者等の落下を防止した全面柵として機能させることができる。
【００２７】
また、第８図に示すように上記実施形態のサイドレール１を使用者の足側に装着し、頭部側には回動把持部４及び回動機構１９を設けていないサイドレール１を装着した場合について、説明する。
この回動把持部４及び回動機構１９を設けていないサイドレール１は、上記実施形態と略々同様に固定部２に倒伏手段１８を介して回動自在に固定把持部３を設けたものである。
このように構成したサイドレール１においては、使用者が立ち上がる際に手掛かりとなる回動把持部４を設けていないので、一方の回動把持部４と他方の固定柵部３を手掛かりとして立ち上がる。また、このサイドレール１も上記と同様に側方への倒伏操作が可能であるので、介護者による介護時にサイドレールを取り外したり取り付けたりといった煩雑な作業を行うことなく、介護の邪魔となる固定柵部３を下方へ倒伏させることができる。
【００２８】
次に上記の実施形態と異なる第二の実施形態について第９図乃至第１１図を用いて説明する。
この実施形態では、倒伏手段１８と回動手段１９の操作方法をより簡単に行うために次のように構成している。
まず、固定部２及び固定柵部３は上記実施形態と略々同様の構成としており、同じ部分には上記と同じ符号を用いている。
この実施形態では、固定部２の基部パイプ６の前端部に、倒伏手段１８の固定メタル５５が固着されている。この固定メタル５５には回動支軸１３の軸線上に位置する個所に空孔部５５ａが穿設されている。そして、この固定メタルには回動メタル５６が挿通される。この回動メタル５６には前記回動支軸１３に挿通可能な軸部５７ａを備えた段付支軸５７が固着されており、この段付支軸５７には嵌通空孔部５７ｂが設けられている。
そして、固定柵部３に固着されている回動支軸１３の上端部には固定メタル５８が固着されている。この固定メタル５８の上部には複数の爪部５８ａ，５８ａ，・・・が設けられるとともに、固定メタル５８内には嵌通空孔部５８ｂが設けられている。さらに、回動支軸１３の下部にはリング部材５９が固着され、後述する回動把持部４に固定される支承部材１７の上方摺動を規制する部材として作用する。
【００２９】
また、回動把持部４の下側水平部１５ａには支承部材１７が止着されている。さらに、上側水平部の端部には回動メタル６０が固着されている。この回動メタル６０は大径軸部６０ａと爪部６０ｂを供えた小径軸部６０ｃとからなるものであり、内部には段付空孔部６０ｄが穿たれている。さらに、小径軸部６０ｃの適所には雌ネジ部６０ｅが設けられている。
そして、支承部材１７を回動支軸１３の下端部から挿通するとともに、回動メタルの小径軸部６０ｃにカバー部材６１を挿通し、ネジ６２により固定した状態で固定メタル５８に嵌合させる。
さらに、回動メタル６０の上方から鍔付ピン６３を挿通させ、キャップ６４にて抜け止めする。
【００３０】
上記のように構成された倒伏手段１８及び回動手段１９を備えたサイドレール１は、第１１図に示すように回動把持部４の回動操作も固定柵部３の倒伏操作も回動把持部４によりロック解除することで行う。
詳述すると、通常の使用時には固定メタル５８と回動メタル６０とが嵌合した状態であるとともに、固定メタル５５の空孔部５５ａに鍔付ピン６４が挿通した状態となっており、回動把持部４の回動操作と固定柵部３の倒伏操作ができない状態となっている（第１１図（ａ）参照）。
そして、回動把持部４を回動操作する際には、回動把持部４を上方へ摺動させる。このとき、鍔付ピン６４は固定メタル５５の空孔部５５ａに挿通された状態にあるので、倒伏手段はロックした状態のまま、回動手段の固定メタル５８と回動メタル６０の嵌合のみ解除され、回動把持部４のみ回動操作可能となっている（第１１図（ｂ）参照）。
さらに、回動把持部４を上方に摺動させると、鍔付ピン６４が回動メタル６０の段付空孔部６０ｄに接当し、上方に持ち上げられ、この鍔付ピン６４の先端が固定メタル５５の空孔部５５ａから抜ける。この状態の時には、回動手段１９である固定メタル５８と回動メタル６０の嵌合状態が解除されており、回動把持部４が回動自在な状態であるとともに、倒伏手段１９である固定メタル５５から鍔付ピン６４が抜けた状態となっており、固定柵部３が倒伏可能な状態となっている。なお、回動把持部４はリング部材５９に支承部材１７が接当する位置まで摺動自在であるが、この接当した状態のときには鍔付ピン６４が固定メタル５５から抜けた状態としている（第１１図（ｃ）参照）。
【００３１】
次に、上記のように構成された回動手段１９と倒伏手段１８を備えたサイドレール１の使用形態について説明する。
このサイドレール１も第一の実施形態と同様にベッドＢ側部に装着して使用する。
そして、ベッドＢ上で仰臥している使用者は、頭部側のサイドレール１の適所を把持して背を起こす。なお、ベッドＢに具備されている背上げ機構を利用すると楽である。
然る後、頭部側に装着されたサイドレール１の回動把持部４を少し上方へ摺動させ、固定メタル５８と回動メタル６０との嵌合状態を解除する。そして、この状態で約９０度外方向に回動把持部４を回動させる。
次に、足側に装着されたサイドレール１の回動把持部４をリング部材５９に接当するまで上方に摺動させて、鍔付ピン６４を倒伏手段１８の固定メタル５５から抜く。この状態で固定柵部３が倒伏可能な状態となっているので、ベッドＢ側方へ倒伏させる。
固定柵部３を側方へ倒伏させると、足側側方が開放されるので、使用者は足を少しずつずらし、ベッドサイドで端座位をとる。
次に、固定柵部３を立設状態に戻す。このとき、回動把持部４は重力によってリング部材５９に接当した状態、すなわち、倒伏手段１８及び回動手段１９がロックしていない状態となっており、固定柵部３を上方回動させるように持ち上げるだけで、固定柵部３を起立できるとともに、回動把持部４が足に当たるので自動的に回動され、固定柵部３を起立させたときには、頭部側の回動把持部４と略々平行な状態、つまり固定柵部３に対して約９０度回動した状態となり、今度は鍔付ピン６４が重力によって下方へ摺動し、固定メタル５５の空孔部５５ａに嵌る。そして、回動把持部４から手を離すと回動手段１９もロックした状態となるよう構成されている。
そして、使用者の両側に位置する回動把持部４，４をしっかりと把持して立ち上がれば、容易にベッドＢから離床することができる。
逆に、ベッドＢへ戻る操作についても上述の逆の手順を取ればよい。
【００３２】
このように、回動手段１８と倒伏手段１９を同一操作により、ロック解除できる構成とすることで、より至便に使用できる。
また、この実施形態では、サイドレール１を側方へ倒伏した際に自動的に回動手段１９のロックも解除できるよう構成しており、仮に固定柵部３と同一平面内に回動把持部４が配置された状態で倒伏しても、使用者がベッドサイドに端座位をとった後に、回動手段１９のロック解除操作をすることなく、回動把持部４が回動自在な状態となっており、足に回動把持部４が接触することで、自動的に約９０度回動した状態となり、固定柵部３を立設させるだけで、固定柵部３と回動把持部４が保持拘束される。
【００３３】
【発明の効果】
請求項１の発明は、固定部と固定柵部からなるサイドレールにおいて、固定部に対して倒伏回動可能に固定柵部を取り付けたものである。そして、この固定柵部は立設状態にあるとき、ベッド上の使用者あるいは布団等の落下防止として機能している。また、固定部に対して固定柵部を下方に回動させながら倒伏させると使用者の側部は開放された状態とすることができる。そのため、介護する場合にもサイドレールの取り付け、取り外しといった煩雑な作業をする必要がなくなるよう構成されたものである。
請求項２の発明は、固定柵部の一側部に回動自在に回動把持部を設け、さらに固定部に対して倒伏可能に固定柵部を取り付けたものである。このように構成することにより、このサイドレールをベッドの足側に取り付けた場合にも、使用者が仰臥姿勢からベッドサイドで端座位をとった姿勢になるときの障害となる固定柵部を下方に回動させながら倒伏させると、ベッドの足側側方を開放することができ、体位変換が容易にできるように構成されている。さらに、端座位をとった後には固定柵部を再度立設させ、回動把持部を平面視において略々Ｌ字状になるよう回動し、立ち上がる際の手掛かりとして使用できるものである。また、頭部側にも同様あるいは請求項１の発明のサイドレールを取り付け、互いの固定柵部と回動把持部を平面視において一直線上に配置することによって、ベッド側部全面を塞ぐようにセット可能であり、全面柵として機能させることができる。さらに、立ち上がる際には、使用者の少なくとも一方側に回動把持部が配置された状態とすることが可能なので、より安全に立ち上がり動作を行うことができる。
請求項３の発明は、固定柵部を倒伏させる倒伏手段と、回動把持部を回動させる回動手段とを具備することによって、それぞれを個別にロック及びロック解除操作可能となり、不注意による誤作動を防止することが可能である。
請求項４の発明は、固定柵部を下方回動させた状態では、回動手段のロックが自動的に解除されており、回動把持部が回動自在な状態となるように構成したものである。そのため、固定柵部を下方回動させたときに固定柵部と回動把持部が同一平面上に位置している場合にも、ベッドサイドで端座位をとった後固定柵部を上方回動させ、立設状態にするだけで使用者の足に回動把持部が接触しながら回動することとなり、固定柵部を立設状態で固定した際には回動把持部が約９０度回動した状態となっており、そのまま立ち上がりの動作に移行できる。
【図面の簡単な説明】
【図１】（ａ）  本発明に係るサイドレールの第一の実施形態を示す全体側面図
（ｂ）  その全体平面図
【図２】その倒伏手段の構成を示す要部斜視図
【図３】倒伏手段の作用を示す説明図
（ａ）  ロック状態を示す要部断面図
（ｂ）  倒伏可能な状態を示す要部断面図
【図４】別の倒伏手段を示す断面図（ａ）  ロック状態を示す要部断面図
（ｂ）  倒伏可能な状態を示す要部断面図
【図５】その回動手段の構成を示す要部斜視図
【図６】回動手段の作用を示す説明図
（ａ）  ロック状態を示す要部断面図
（ｂ）  回動可能な状態を示す要部断面図
【図７】ベッドに装着した状態を示す説明図（１）
【図８】ベッドに装着した状態を示す説明図（２）
【図９】第二の実施形態を示す全体側面図
【図１０】その回動手段及び倒伏手段の構成を示す斜視図
【図１１】回動手段及び倒伏手段の作用を示す説明図
（ａ）  ロック状態を示す要部断面図
（ｂ）  回動手段のみロック解除された状態を示す要部説明図
（ｃ）  回動手段及び倒伏手段がロック解除された状態を示す要部説明図
【符号の説明】
１    サイドレール
２    固定部
３    固定柵部
４    回動把持部
１８  倒伏手段
１９  回動手段
【図１】
2004357875.tif 000003
【図２】
2004357875.tif 000004
【図３】
2004357875.tif 000005
【図４】
2004357875.tif 000006
【図５】
2004357875.tif 000007
【図６】
2004357875.tif 000008
【図７】
2004357875.tif 000009
【図８】
2004357875.tif 000010
【図９】
2004357875.tif 000011
【図１０】
2004357875.tif 000012
【図１１】
2004357875.tif 000013